(57)【要約】      （修正有）【課題】特殊撮影を行わせるための特定機能を制御する場合に、撮影手段から取り込んだ撮影画像の内容に基づいて制御できるようにする。【解決手段】ＣＰＵ１１は、インカメラ１８から取り込んだ画像を解析してその画像内に所定状態の顔画像が存在しているか否かの顔認識（簡易認識）を行い、顔画像が存在していれば、アウトカメラ１７に対する特定機能を制御する。【選択図】図２
2009153085.tif 000002
【特許請求の範囲】
【請求項１】
被写体を撮影してその撮影画像を取り込む撮影手段を有した携帯端末装置であって、
前記画像撮影手段によって得られた撮影画像を解析してその画像内に所定状態の顔画像が存在しているか否かを判別する判別手段と、
この判別手段による判別結果に応じて前記撮影手段に対して特殊撮影を行わせるための特定機能を制御する制御手段と、
を具備したことを特徴とする携帯端末装置。
【請求項２】
前記撮影手段は、第１撮影手段と第２撮影手段とを含み、
前記判別手段は、前記第２撮影手段によって得られた撮影画像を解析し、
前記制御手段は、前記第１撮影手段に対する特定機能を制御する、
ようにしたことを特徴とする請求項１記載の携帯端末装置。
【請求項３】
装置本体の同一面側に表示部と共に前記第２撮影手段が配置され、前記表示部の反対面側に前記第１撮影手段が配置されている状態において、前記第２撮影手段によって得られた撮影画像内に所定状態の顔画像が存在していなければ、前記制御手段は、前記第１撮影手段が撮影者側に向けられていると判断して前記第１撮影手段に対する特定機能をオンする、
ようにしたことを特徴とする請求項２記載の携帯端末装置。
【請求項４】
装置本体を構成する複数の筐体をヒンジ部を介して連結することによって当該装置本体の形態を複数のスタイルに変更可能な携帯端末装置であって、
装置本体の同一面側に表示部と共に前記第２撮影手段が配置され、前記表示部の反対面側に前記第１撮影手段が配置されている状態において、装置本体のスタイルが前記第１及び第２撮影手段の撮影方向が同一方向となるスタイルの場合に、前記第２撮影手段によって得られた撮影画像内に所定状態の顔画像が存在していれば、前記第１撮影手段が撮影者側に向けられていると判断して前記第１撮影手段に対する特定機能をオンする、
ようにしたことを特徴とする請求項２記載の携帯端末装置。
【請求項５】
装置本体に設けられている表示部の反対面側に前記撮影手段が配置されている状態において、前記撮影手段によって得られた撮影画像内に所定状態の顔画像が存在していれば、前記制御手段は、前記撮影手段が撮影者側に向けられていると判断して当該撮影手段に対する特定機能をオンする、
ようにしたことを特徴とする請求項１記載の携帯端末装置。
【請求項６】
前記特定機能は、前記撮影手段に対する手振れ補正機能であり、
前記制御手段は、前記判別手段によって撮影画像内に所定状態の顔画像が存在しているか否かの判別結果に応じて前記手振れ補正機能を制御する、
ようにしたことを特徴とする請求項１記載の携帯端末装置。
【請求項７】
前記特定機能は、前記撮影手段で撮影された画像内の顔画像が予め登録されている顔画像に近似しているか否かを判定する顔認識機能であり、
前記制御手段は、前記判別手段によって撮影画像内に所定状態の顔画像が存在しているか否かの判別結果に応じて前記顔認識機能を制御する、
ようにしたことを特徴とする請求項１記載の携帯端末装置。
【請求項８】
前記特定機能は、前記撮影手段における顔撮影機能であり、
前記制御手段は、前記判別手段によって撮影画像内に所定状態の顔画像が存在しているか否かの判別結果に応じて前記顔撮影機能を制御する、
ようにしたことを特徴とする請求項１記載の携帯端末装置。
【請求項９】
前記判別手段は、前記撮影手段の起動時、動作中のうち、少なくとも何れか一方のタイミングで所定状態の顔画像が存在しているか否かを判別する、
ようにしたことを特徴とする請求項１記載の携帯端末装置。
【請求項１０】
コンピュータに対して、
被写体を撮影してその撮影画像を取り込む撮影手段によって得られた撮影画像を解析してその画像内に所定状態の顔画像が存在しているか否かを判別する機能と、
この判別結果に応じて前記撮影手段に対して特殊撮影を行わせるための特定機能を制御する機能と、
を実現させるためのプログラム。
【発明の詳細な説明】
【技術分野】
【０００１】
この発明は、被写体を撮影してその撮影画像を取り込む撮影手段を有した携帯端末装置及びプログラムに関する。
【背景技術】
【０００２】
一般に、遠距離の被写体を撮影しようとした場合に、多少の手振れが生じても大きな問題となるケースは少ないが、近くにいる人を撮影しようとした場合に手振れが生じると、作品としても意味を持たなくなる可能性がある。例えば、撮影者が自分の顔を撮影しようとした場合に、不安定な持ち方となって手振れが発生してしまうことが多い。このような場合に手振れ補正機能がオフされたままであると、せっかくの機能が有効に活用されないことになり、また、手振れ補正機能を常にオンしておくことは、撮影時の処理負荷が増大して消費電力の点でも好ましい方法とは言えない。そこで、従来では、シャッタの半押し操作で手振れ補正機能を自動的にオンするようにした技術が存在している（特許文献１参照）。
【０００３】
【特許文献１】特開２００６−３３０１１４号公報
【発明の開示】
【発明が解決しようとする課題】
【０００４】
しかしながら、上述した先行技術は、シャッタを半押しするという特殊な操作を行った場合に手振れ補正機能をオンするものであって、その半押し操作自体が手振れ補正機能のオン操作に過ぎないと言える。
このことは、手振れ補正に限らず、カメラ撮影で顔認証（本人確認）を行う場合についても同様であり、カメラ撮影時に顔認識機能を常にオンしておくことは、処理負荷の増大などで好まし方法とは言えない。
【０００５】
この発明の課題は、特殊撮影を行わせるための特定機能を制御する場合に、撮影手段から取り込んだ撮影画像の内容に基づいて制御できるようにすることである。
【課題を解決するための手段】
【０００６】
請求項１記載の発明は、被写体を撮影してその撮影画像を取り込む撮影手段を有した携帯端末装置であって、前記画像撮影手段によって得られた撮影画像を解析してその画像内に所定状態の顔画像が存在しているか否かを判別する判別手段と、この判別手段による判別結果に応じて前記撮影手段に対して特殊撮影を行わせるための特定機能を制御する制御手段と、を具備したことを特徴とする。
更に、コンピュータに対して、上述した請求項１記載の発明に示した主要機能を実現させるためのプログラムを提供する（請求項１０記載の発明）。
【０００７】
なお、上述した請求項１記載の発明は次のようなものであってもよい。
前記撮影手段は、第１撮影手段と第２撮影手段とを含み、前記判別手段は、前記第２撮影手段によって得られた撮影画像を解析し、前記制御手段は、前記第１撮影手段に対する特定機能を制御する（請求項２記載の発明）。
【０００８】
請求項２記載の発明は、請求項３記載の発明であってもよい。すなわち、装置本体の同一面側に表示部と共に前記第２撮影手段が配置され、前記表示部の反対面側に前記第１撮影手段が配置されている状態において、前記第２撮影手段によって得られた撮影画像内に所定状態の顔画像が存在していなければ、前記制御手段は、前記第１撮影手段が撮影者側に向けられていると判断して前記第１撮影手段に対する特定機能をオンするようにしてもよい（請求項３記載の発明）。
【０００９】
また、請求項２記載の発明は請求項４記載の発明であってもよい。すなわち、装置本体を構成する複数の筐体をヒンジ部を介して連結することによって当該装置本体の形態を複数のスタイルに変更可能な携帯端末装置であって、装置本体の同一面側に表示部と共に前記第２撮影手段が配置され、前記表示部の反対面側に前記第１撮影手段が配置されている状態において、装置本体のスタイルが前記第１及び第２撮影手段の撮影方向が同一方向となるスタイルの場合に、前記第２撮影手段によって得られた撮影画像内に所定状態の顔画像が存在していれば、前記第１撮影手段が撮影者側に向けられていると判断して前記第１撮影手段に対する特定機能をオンするようにしてもよい（請求項４記載の発明）。
【００１０】
装置本体に設けられている表示部の反対面側に前記撮影手段が配置されている状態において、前記撮影手段によって得られた撮影画像内に所定状態の顔画像が存在していれば、前記制御手段は、前記撮影手段が撮影者側に向けられていると判断して当該撮影手段に対する特定機能をオンする（請求項５記載の発明）。
【００１１】
前記特定機能は、前記撮影手段に対する手振れ補正機能であり、前記制御手段は、前記判別手段によって撮影画像内に所定状態の顔画像が存在しているか否かの判別結果に応じて前記手振れ補正機能を制御する（請求項６記載の発明）。
【００１２】
前記特定機能は、前記撮影手段で撮影された画像内の顔画像が予め登録されている顔画像に近似しているか否かを判定する顔認識機能であり、前記制御手段は、前記判別手段によって撮影画像内に所定状態の顔画像が存在しているか否かの判別結果に応じて前記顔認識機能を制御する（請求項７記載の発明）。
【００１３】
前記特定機能は、前記撮影手段における顔撮影機能であり、前記制御手段は、前記判別手段によって撮影画像内に所定状態の顔画像が存在しているか否かの判別結果に応じて前記顔撮影機能を制御する（請求項８記載の発明）。
【００１４】
前記判別手段は、前記撮影手段の起動時、動作中のうち、少なくとも何れか一方のタイミングで所定状態の顔画像が存在しているか否かを判別する（請求項９記載の発明）。
【発明の効果】
【００１５】
この発明によれば、特殊撮影を行わせるための特定機能を制御する場合に、カメラ撮影された画像内容に基づいて制御することができ、特定機能を必要に応じて確実に制御することができ、ユーザ操作が不要となり、ユーザの負担を軽減することが可能となる。
【発明を実施するための最良の形態】
【００１６】
（実施形態１）
以下、図１〜図４を参照して本発明の第１実施形態を説明する。
この実施形態は携帯端末装置として携帯電話装置に適用したもので、図１は、携帯電話装置の外観図である。
携帯電話装置は、その装置本体を構成する操作部筐体１と表示部筐体２とを折り畳み開閉自在及び回動自在にヒンジ部３で連結した２軸ヒンジタイプの電話機である。すなわち、ヒンジ部３には操作部筐体１と表示部筐体２とを折り畳み開閉するための開閉用ヒンジ軸と、この開閉用ヒンジ軸とほぼ直交し、一方の筐体を他方の筐体に対して回動するための回動用ヒンジ軸とが設けられており、このヒンジ部３を介して操作部筐体１と表示部筐体２とは折り畳み開閉自在及び回動自在に連結されている。
【００１７】
図１（Ａ）は、装置本体を構成する操作部筐体１と表示部筐体２との折り畳みを開いて操作部４と表示部５とを露出させた状態のオープンスタイルを示し、（Ｂ）は、このオープンスタイルを反対側から見た状態（オープンスタイルから装置本体全体を１８０度回転させた状態）を示した図である。このように構成された２軸ヒンジタイプの携帯電話装置は、操作部筐体１と表示部筐体２との連結状態に応じてその装置本体の形態を複数のスタイル、つまり、上述したオープンスタイルのほか、クローズスタイル、反転オープンスタイル、ビュースタイルに変更可能となっている。
【００１８】
この装置本体には２種類のカメラが搭載されている。すなわち、操作部筐体１の内面側（正面側）には操作部４が配置され、その反対面側（外面側）にはアウトカメラを構成する撮影レンズ部６が設けられている。また、表示部筐体２の内面側（正面側）には表示部５が配置されていると共に、その表示部５の近傍にはインカメラ（テレビ電話用などに使用される簡易カメラ）を構成する撮影レンズ部７が設けられている。言い換えれば、表示部５と共にインカメラ用の撮影レンズ部７は、装置本体の同一面側に配置され、アウトカメラ用の撮影レンズ部６は、表示部５の反対面側に配置されている。
【００１９】
図２は、携帯電話装置の基本的な構成要素を示したブロック図である。
この携帯電話装置には、通話機能（音声電話機能）、電子メール機能、インターネット接続機能（Ｗｅｂアクセス機能）、カメラ機能など、各種の機能が備えられている。ＣＰＵ１１は、記憶部１２内の各種のプログラムに応じてこの携帯電話装置１の全体動作を制御する中央演算処理装置である。記憶部１２は、プログラム領域とデータ領域とを有し、このプログラム領域には、後述する図４に示す動作手順に応じて本実施例を実現するためのプログラムが格納されている。記録メディア１３は、着脱自在な可搬型メモリで、各種のデータ・プログラムを外部供給するもので、例えば、スマートメディア、ＩＣカードなどによって構成されている。メモリ１４は、ワーク領域を有する内部メモリである。
【００２０】
無線通信部１５は、無線部、ベースバンド部、多重分離部などを備え、例えば、音声電話機能、ＴＶ電話機能、電子メール機能、インターネット接続機能、データ通信機能の動作時に最寄りの基地局との間でデータの送受信を行うもので、通話機能の動作時にはベースバンド部の受信側から信号を取り込んで受信ベースバンド信号に復調したのち、音声信号処理部１６を介して通話用スピーカＳＰから音声出力させ、また、通話用マイクＭＣからの入力音声データを音声信号処理部１６から取り込み、送信ベースバンド信号に符号化したのち、ベースバンド部の送信側に与えてアンテナから発信出力させる。
【００２１】
アウトカメラ１７は、高画素数の撮像素子（例えば、ＣＣＤ）を有するメインカメラで、手振れ補正機能など各種の付加機能が装備され、高品質画像の撮影時などで利用される。なお、手振れ補正機能は、手振れを画像処理によって補正する機能であるが、機構的に手振れ補正を行う機能であってもよい。インカメラ１８は、アウトカメラ１７に比べて低画素数の撮像素子を有するサブカメラで、テレビ電話用のほか、簡易撮影機能として利用される。このアウトカメラ１７、インカメラ１８は、対応する撮影レンズ部６、７のほか、撮像素子、その駆動系のほか、測距センサ、光量センサ、アナログ処理回路、信号処理回路、圧縮伸張回路などを備え、光学ズームを調整制御したり、オートフォーカス時の駆動制御、シャッタ駆動制御、露出、ホワイトバランスなどを制御したりする。
【００２２】
操作部４は、ダイヤル入力、文字入力、コマンド入力などを行うもので、カメラ機能のＯＮ／ＯＦＦ（オン／オフ）を指示するカメラボタン、シャッタボタンなどを有し、ＣＰＵ１１は、操作部４からの入力信号に応じた処理を実行する。なお、操作部４のカメラボタンは、操作部筐体１と表示部筐体２との折り畳みを開いた状態、つまり、オープンスタイル／反転オープンスタイルにおいて操作可能なボタンである。なお、表示部５に透明のタッチパネルが積層配置されている場合、カメラボタンは、このタッチパネル上のタッチボタンであってもよい。
【００２３】
報知部１９は、着信報知などの報知用のスピーカ、ＬＥＤ（発光ダイオード）、振動モータなどを備え、電話、メール着信時に駆動されて着信報知を行うほか、アラーム報知時にも駆動される。表示部５は、高精細液晶あるいは有機ＥＬなどを使用したもので、ＴＶ電話画面が表示されている状態では、ＴＶ電話機能の動作時に無線通信部１５から取得した相手画像とインカメラ１８によって撮影された自分画像とが並列表示される。ＲＴＣ（リアルタイムクロックモジュール）２０は、時計部を構成するもので、ＣＰＵ１１は、ＲＴＣ２０から現在日時を取得する。
【００２４】
スタイル検出部２１は、装置本体の現在のスタイルを検出するもので、操作部筐体１に対して表示部筐体２が開閉された際に、その開閉角度が０度か１８０度かを検出し、０度であれば、クローズスタイル／ビュースタイルとなり、１８０度であれば、オープンスタイル／反転オープンスタイルとなる。また、操作部筐体１に対して表示部筐体２が回動された際に、その回動角度が０度か１８０度かを検出し、０度であれば、オープンスタイルとなり、１８０度であれば、反転オープンスタイルとなる。スタイル検出部２１はスタイル変化を検出すると、スタイル有り信号をＣＰＵ１１に与える。
【００２５】
図３は、オープンスタイルから反転オープンスタイルに変更した場合の外観図である。
図３（Ａ）は、オープンスタイルから操作部筐体１に対して表示部筐体２を１８０度回転させた状態の反転オープンスタイルを示したもので、アウトカメラ１７用の撮影レンズ部６とインカメラ１８用の撮影レンズ部７とは、操作部４に対してそれぞれ反対側に向いた状態となっている。図３（Ｂ）は、この状態において、表示部５、アウトカメラ１７、インカメラ１８がユーザ（撮影者）側に向くように、装置本体全体を１８０度回転させた状態を示している。
【００２６】
ここで、アウトカメラ１７で自分の顔を高画質で撮影する場合（高画質の自分撮りを行う場合）、ＣＰＵ１１は、インカメラ１８から取り込んだ画像（スルー画像）内に所定状態の顔画像が存在しているかを検出する顔認識（簡易認識）を行うようにしている。この場合、ユーザ個人を特定するような厳密な顔認識は必要ではなく、人の顔が存在しているかを粗く認識できればよく、正面向きの顔輪郭の有無、肌色などの色具合、顔輪郭の大きさ（被写体までの距離）などを総合的に判断して顔画像の有無を判別するようにしている。なお、この顔認識の結果に応じてアウトカメラ１７の手振れ補正機能を制御するようにしている。
【００２７】
すなわち、顔認識の結果、インカメラ１８から取り込んだ画像内に所定状態の顔画像が存在していなければ、図１（Ｂ）に示すようにオープンスタイルから装置本体の全体を１８０度回転させた状態にあると判断し、つまり、アウトカメラ１７が撮影者側に向けられている状態にあると判断して、アウトカメラ１７の手振れ補正機能をオンするようにしている。逆に、インカメラ１８から取り込んだ画像内に顔画像が存在していれば、図３（Ｂ）に示すように、反転オープンスタイルから装置本体全体を１８０度回転させた状態、つまり、アウトカメラ１７が撮影者側に向けられている状態であると判断して、アウトカメラ１７の手振れ補正機能をオンするようにしている。
【００２８】
次に、この第１実施形態における携帯電話装置の動作概念を図４に示すフローチャートを参照して説明する。ここで、このフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。このことは後述する他の実施形態においても同様であり、記録媒体のほかに、伝送媒体を介して外部供給されたプログラム／データを利用してこの実施形態特有の動作を実行することもできる。
【００２９】
図４は、第１実施形態において電源投入に伴って実行開始される携帯電話装置の全体動作を示したフローチャートである。
先ず、ＣＰＵ１１は、電源を投入する電源オン操作が行われると、無線通信部１４を作動させて現在位置を登録する待受処理を行うと共に、所定の待受画像を読み出して表示させながら待受状態となる（ステップＡ１）。この待受状態において無線通信部１５を介して着信を検出すると（ステップＡ２でＹＥＳ）、通可能状態とする着信処理に移る（ステップＡ３）。
【００３０】
また、待受状態においてスタイル検出部２１からスタイル変化有り信号を受け取ると（ステップＡ４でＹＥＳ）、検出された現在のスタイルを一時記憶したのち（ステップＡ５）、上述のステップＡ１に戻る。また、待受状態において操作部４で何らかの操作が行われると（ステップＡ６でＹＥＳ）、カメラボタンが操作されてカメラ起動（カメラＯＮ）が指示されたのかを調べ（ステップＡ７）、カメラＯＮが指示されなければ、その操作に対応する処理として、例えば、発信処理、メール作成処理などを行う（ステップＡ８）。
【００３１】
いま、カメラＯＮが指示された場合には（ステップＡ７でＹＥＳ）、アウトカメラ１７及びインカメラ１８を起動させたのち（ステップＡ９）、インカメラ１８から取り込んだ画像内に所定状態の顔画像が存在しているかを検出する顔認識（簡易認識）を行う（ステップＡ１０）。すなわち、上述のように、正面向きの顔輪郭の有無、肌色などの色具合、顔輪郭の大きさなど、人の顔を粗く認識する。そして、上述のように一時記憶した現在のスタイルは、反転オープンスタイルであるかを調べ（ステップＡ１１）、反転オープンスタイルであれば、上述した顔認識（簡易認識）の結果、インカメラ１８から取り込んだ画像内に顔画像が存在しているかを調べる（ステップＡ１２）。いま、顔画像が存在していれば、反転オープンスタイルから装置本体全体を１８０度回転させた状態（図３（Ｂ）参照）、つまり、インカメラ１８及びアウトカメラ１７が撮影者側に向けられている状態であると判断して、アウトカメラ１７の手振れ補正機能をオンする（ステップＡ１５）。
【００３２】
また、反転オープンスタイルにおいて顔画像が存在していなければ（ステップＡ１２でＮＯ）、図３（Ａ）に示すようにインカメラ１８及びアウトカメラ１７が外側（撮影者の反対側）に向いている状態であると判断してステップＡ１３に移り、手振れ補正機能がオンされていることを条件に（ステップＡ１３でＮＯ）、それをオフする（ステップＡ１４）。一方、現在のスタイルが反転オープンスタイルでなければ（ステップＡ１１でＮＯ）、オープンスタイルであると判断する。すなわち、操作部４のカメラボタンは、操作部筐体１と表示部筐体２との折り畳みを開いた状態（オープンスタイル／反転オープンスタイル）において操作されるもので、反転オープンスタイルでなければ、オープンスタイルであると判断する。この場合においても、次のステップＡ１６ではインカメラ１８から取り込んだ画像内に所定状態の顔画像が存在しているかを検出する。
【００３３】
いま、オープンスタイルにおいて顔画像が存在していなければ（ステップＡ１６でＮＯ）、オープンスタイルから装置本体全体を１８０度回転させた状態（図１（Ｂ）参照）、つまり、アウトカメラ１７が撮影者側に向けられている状態であると判断して、アウトカメラ１７の手振れ補正機能をオンする（ステップＡ１５）。また、オープンスタイルにおいて顔画像が存在していれば（ステップＡ１６でＹＥＳ）、図１（Ａ）に示すようにアウトカメラ１７が外側（撮影者の反対側）に向いている状態であると判断して、ステップＡ１７に移り、手振れ補正機能がオンされていることを条件に（ステップＡ１７でＮＯ）、それをオフする（ステップＡ１８）。
【００３４】
そして、アウトカメラ１７から取り込んだ画像（スルー画像）を表示部５からモニタ表示させたのち（ステップＡ１９）、シャッタボタンが操作されたか（ステップＡ２０）、カメラボタン操作によってカメラ機能のオフ（カメラＯＦＦ）が指示されたかを調べ（ステップＡ２２）、それらの操作が無ければ（ステップＡ２２でＮＯ）、上述のステップＡ１０に戻るが、シャッタ操作が行われたときには（ステップＡ２０でＹＥＳ）、アウトカメラ１７の画像を記録メディア１３などに記録保存させたのち（ステップＡ２１）、上述のステップＡ１０に戻る。また、カメラＯＦＦの操作が行われたときには（ステップＡ２２でＹＥＳ）、上述のステップＡ１に戻る。
【００３５】
以上のように、この第１実施形態においてＣＰＵ１１は、特殊撮影を行わせるための特定機能を制御する場合に、カメラ撮影された画像内容に応じて制御することができ、特定機能を必要に応じて確実に制御することができ、ユーザ操作が不要となり、ユーザの負担を軽減することが可能となる。
【００３６】
ＣＰＵ１１は、インカメラ１８から取り込んだ画像を解析してその画像内に所定状態の顔画像が存在しているか否かの顔認識（簡易認識）を行い、顔画像が存在していれば、アウトカメラ１７に対する特定機能を制御するようにしたので、インカメラ１８で撮影された粗い画像を簡易認識するだけで、高画質撮影用のアウトカメラ１７に対する特定機能を制御することができる。
【００３７】
オープンスタイルにおいて、インカメラ１８から取り込んだ画像内に所定状態の顔画像が存在していなければ、アウトカメラ１７がユーザ（撮影者）側に向けられている状態、つまり、オープンスタイルから装置本体全体を１８０度回転させた状態（図１（Ｂ）参照）であると判断することができる。
【００３８】
反転オープンスタイルにおいて、インカメラ１８から取り込んだ画像内に顔画像が存在していれば、図３（Ｂ）に示すように、反転オープンスタイルから装置本体全体を１８０度回転させた状態、つまり、アウトカメラ１７が撮影者側に向けられている状態であると判断することができる。
【００３９】
アウトカメラ１７に対する特定機能は、手振れ補正機能であり、インカメラ１８から取り込んだ画像内に所定状態の顔画像が存在していなければ、アウトカメラ１７の手振れ補正機能をオフするようにしたので、アウトカメラ１７で高画質の自分撮りを行う場合に、自動的な手振れ補正によって鮮明なカメラ撮影が可能となる。
【００４０】
ＣＰＵ１１は、カメラ起動時、カメラ動作中のタイミングで、インカメラ１８から取り込んだ画像内に所定状態の顔画像が存在しているか否かを判別するようにしたので、カメラを起動するだけでカメラ動作中、顔検出を行うことができる。
【００４１】
なお、上述した第１実施形態においては、装置本体を構成する操作部筐体１と表示部筐体２とを折り畳み開閉自在及び回動自在にヒンジ部３で連結した２軸ヒンジタイプの携帯電話装置を例示したが、折り畳み型などであってもよい。
また、上述した第１実施形態においては、カメラＯＮ操作でアウトカメラ１７及びインカメラ１８を起動したが、インカメラ１８から取り込んだ画像内に顔画像が存在していることを条件にアウトカメラ１７を起動するようにしてもよい。
【００４２】
上述した第１実施形態においては、操作部筐体１と表示部筐体２との折り畳みを開いた状態（オープンスタイル／反転オープンスタイル）において、カメラボタンを操作可能としたが、装置本体の側部にサイドキーとしてカメラボタンを設けることによって、例えば、反転オープンスタイルから表示部筐体２を折り畳んだ状態（表示部５が表向きの状態）のビュースタイルでもカメラボタンを操作可能としてもよい。このビュースタイルにおいては、インカメラ１８から取り込んだ画像内に所定状態の顔画像が存在していなければ、アウトカメラ１７がユーザ（撮影者）側に向けられている状態と判断すればよい。
【００４３】
（実施形態２）
以下、この発明の第２実施形態について図５〜図７を参照して説明する。
なお、上述した第１実施形態においては、２台のカメラ（アウトカメラ１７、インカメラ１８）を設けた構成とし、特殊撮影を行わせるための特定機能として手振れ補正機能に適用し、現在のスタイルを考慮して特定機能を制御するようにしたが、この第２実施形態においては、１台のカメラ（アウトカメラ１７）を使用し、特殊撮影を行わせるための特定機能として被写体照明機能、手振れ補正機能、連写機能、本人の顔認識機能に適用し、スタイルを考慮せずに特定機能を制御するようにしたものである。ここで、両実施形態において基本的あるいは名称的に同一のものは、同一符号を付して示し、その説明を省略すると共に、以下、第２実施形態の特徴部分を中心に説明するものとする。
【００４４】
図５は、第２実施形態における携帯電話装置の外観図である。
携帯電話装置は、その装置本体を構成する操作部筐体１と表示部筐体２とを折り畳み開閉自在にヒンジ部３を介して連結した折り畳みタイプの電話機であり、図５（Ａ）は、操作部筐体１と表示部筐体２との折り畳みを開いたオープンスタイルを示し、（Ｂ）は、このオープンスタイルを反対側から見た状態を示した図である。この表示部筐体２に設けられている表示部５の反対面側にはアウトカメラ１７が配置されている。ＣＰＵ１１は、このアウトカメラ１７から取り込んだ画像内に所定状態の顔画像が存在しているかを判別し、顔画像が存在していれば、アウトカメラ１７が撮影者側に向けられていると判断してアウトカメラ１７に対する特定機能をオンするようにしている。
【００４５】
このアウトカメラ１７に対する特定機能は、特殊撮影を行わせるための機能であり、第１実施形態と同様の手振れ補正機能のほか、顔認識機能、顔撮影機能、連写機能、顔照明機能である。なお、顔認識機能は被写体として人の顔を撮影し、この顔画像と予め登録されている顔画像と照合して本人確認を行う機能であり、顔撮影機能の一部である。顔認識機能は、人の顔を鮮明に撮影するための機能で、顔を複数コマ連写する連写機能、顔を照明する照明機能は、顔撮影機能の一部である。
【００４６】
図６及び図７は、第２実施形態において電源投入に伴って実行開始される携帯電話装置の全体動作を示したフローチャートである。
先ず、ＣＰＵ１１は、本人の顔認識機能を使用して本人確認を行う設定の有無を調べ（ステップＢ１）、本人確認を行う設定が無ければ（ステップＢ１でＮＯ）、図７のフローに移り、無線通信部１４を作動させて現在位置を登録する待受処理を行うと共に、所定の待受画像を読み出して表示させながら待受状態となる（ステップＢ１２）。この待受状態において無線通信部１５を介して着信を検出すると（ステップＢ１３でＹＥＳ）、通可能状態とする着信処理に移る（ステップＢ１４）。
【００４７】
また、本人確認を行う設定が有れば（ステップＢ１でＹＥＳ）、アウトカメラ１７を起動したのち（ステップＢ２）、アウトカメラ１７から取り込んだ画像内に所定状態の顔画像が存在しているかを検出する顔認識（簡易認識）を行う（ステップＢ３）。すなわち、上述のように、正面向きの顔輪郭の有無、肌色などの色具合、顔輪郭の大きさなど、人の顔を粗く認識した結果、顔画像が存在していなければ（ステップＢ４でＮＯ）、タイムオーバーとなるまで（ステップＢ５でＮＯ）、つまり、アウトカメラ１７をオンしてから所定時間（例えば、３秒）が経過するまで顔認識（簡易認識）を行いながら上述の動作を繰り返す（ステップＢ３）。その結果、タイムオーバーとなった場合には（ステップＢ５でＹＥＳ）、電源を強制的にオフする。
【００４８】
また、タイムオーバーとなる前に顔画像を検出したときには（ステップＢ４でＹＥＳ）、顔画像によって本人確認を行う処理に移る（ステップＢ６〜Ｂ１１）。すなわち、高精細な撮影を可能とするために、撮影照明機能をオン、つまり、撮影者を照明するライト（図示せず）をオンして照明を開始すると共に、アウトカメラ１７の手振れ補正機能及び顔認識機能（顔撮影機能）をオンする（ステップＢ６）。そして、アウトカメラ１７から取り込んだ画像に含まれている顔画像の特徴を抽出し（ステップＢ７）、予め登録されている本人の顔データとの特徴比較を行って、両者が特徴的に近似しているか否かを判定する（ステップＢ８）。
【００４９】
その結果、両者が特徴的に不一致であれば（ステップＢ９でＮＯ）、顔認識を開始してから所定時間（例えば、３秒）が経過してタイムオーバーとなるまで（ステップＢ１０でＮＯ）、上述のステップＢ７に戻って特徴比較を行う。その結果、タイムオーバーとなると（ステップＢ１０でＹＥＳ）、電源を強制的にオフするが、タイムオーバーとなる前に顔画像の特徴的な一致が検出されると（ステップＢ９でＹＥＳ）、上述した照明ライトをオフすると共に、手振れ補正機能及び顔認識機能をオフしたのち（ステップＢ１１）、待受状態に戻る（図７のステップＢ）。
【００５０】
待受状態において何らかの操作が行われると（図７のステップＢ１５でＹＥＳ）、カメラボタンが操作されてカメラ起動（カメラＯＮ）が指示されたかを調べ（ステップＢ１６）、カメラＯＮが指示されなければ、その操作に対応する処理として、例えば、発信処理、メール作成処理などに移る（ステップＢ１７）。いま、カメラＯＮが指示されたときには（ステップＢ１６でＹＥＳ）、アウトカメラ１７を起動させたのち（ステップＢ１８）、上述と同様にアウトカメラ１７からの画像内に所定状態の顔画像が存在しているかを検出する顔認識（簡易認識）を行う（ステップＢ１９）。その結果、顔画像が存在していなければ（ステップＢ２０でＮＯ）、通常と同様、シャッタ操作が行われる毎に（ステップＢ２６でＹＥＳ）、アウトカメラ１７の画像を記録メディア１３などに記録保存させたのち（ステップＢ２７）、上述のステップＢ１９に戻る。また、カメラボタンの操作でカメラ機能のオフ（カメラＯＦＦ）が指示されたときには（ステップＢ２８でＹＥＳ）、上述のステップＢ１２に戻る。
【００５１】
一方、顔認識（簡易認識）を行った結果、顔画像が存在していれば（ステップＢ２０でＹＥＳ）、連写機能をオンして、例えば、秒７コマの撮影を行ったのち（ステップＢ２１）、各撮影画像を確認表示させる（ステップＢ２２）。この表示内容を確認しながら所望する画像（鮮明画像）を選択する操作を行うと（ステップＢ２３でＹＥＳ）、この選択画像を記録メディア１３などに記録保存させたのち（ステップＢ２４）、連写撮影された各画像を削除する（ステップＢ２５）。以下、ステップＢ２６に移り、上述と同様に、シャッタ操作が行われる毎に（ステップＢ２６でＹＥＳ）、アウトカメラ１７からの画像を記録メディア１３などに記録保存させる（ステップＢ２７）。
【００５２】
以上のように、この第２実施形態は、折り畳みタイプの携帯電話装置において、この表示部筐体２に設けられている表示部５の反対面側にアウトカメラ１７が配置されている状態において、アウトカメラ１７から取り込んだ画像内に所定状態の顔画像が存在していれば、アウトカメラ１７が撮影者側に向けられていると判断してアウトカメラ１７に対する特定機能をオンするようにしたので、上述した第１実施形態と同様に、特殊撮影を行わせるための特定機能を制御する場合に、カメラ撮影された画像内容に応じて制御することができ、特定機能を必要に応じて確実に制御することができ、ユーザ操作が不要となり、ユーザの負担を軽減することが可能となる。この場合、アウトカメラ１７で撮影された粗い画像を簡易認識するだけで、高画質撮影に対応するための特定機能を制御することができる。
【００５３】
アウトカメラ１７に対する特定機能は、手振れ補正機能であり、アウトカメラ１７から取り込んだ画像内に所定状態の顔画像が存在していれば、アウトカメラ１７の手振れ補正機能をオンするようにしたので、アウトカメラ１７で高画質の自分撮りを行う場合に、自動的な手振れ補正によって鮮明なカメラ撮影が可能となる。
【００５４】
アウトカメラ１７に対する特定機能は、アウトカメラ１７から取り込んだ画面内の顔画像が予め登録されている顔データとの特徴が近似しているか否かを判定する顔認識機能であり、アウトカメラ１７から取り込んだ画像内に所定状態の顔画像が存在していれば、顔認識機能のオンするようにしたので、必要なときに顔認識による本人確認を行うことができる。
【００５５】
アウトカメラ１７に対する特定機能は、顔撮影機能（顔認識機能、連写機能、顔照明機能）であり、アウトカメラ１７から取り込んだ画像内に所定状態の顔画像が存在していれば、顔撮影機能のオンするようにしたので、必要なときに顔撮影を行うことができる。
【００５６】
なお、上述した第２実施形態においては、折り畳み型の携帯電話装置に適用した場合を例示したが、ストレート型、スライド型の携帯電話装置であってもよい。
その他、携帯電話装置に限らず、例えば、ＰＤＡ、デジタルカメラ、電子腕時計、音楽再生機などの携帯端末装置であっても同様に適用可能である。
【図面の簡単な説明】
【００５７】
【図１】携帯端末装置として適用した携帯電話装置１の外観図で、（Ａ）は装置本体を構成する操作部筐体１と表示部筐体２との折り畳みを開いて操作部４と表示部５とを露出させた状態のオープンスタイルを示し、（Ｂ）は、このオープンスタイルを反対側から見た状態、（オープンスタイルから装置本体全体を１８０度回転させた状態）を示した図。
【図２】携帯電話装置の基本的な構成要素を示したブロック図。
【図３】反転オープンスタイルでの外観図で、（Ａ）は、オープンスタイルから操作部筐体１に対して表示部筐体２を１８０度回転させた状態の反転オープンスタイルを示した図、（Ｂ）は、この状態において、表示部５、アウトカメラ１７、インカメラ１８がユーザ（撮影者）側に向くように、装置本体全体を１８０度回転させた状態を示した図。
【図４】第１実施形態において電源投入に伴って実行開始される携帯電話装置の全体動作を示したフローチャート。
【図５】第２実施形態における携帯電話装置の外観図で、Ａ）は、操作部筐体１と表示部筐体２との折り畳みを開いたオープンスタイルを示し、（Ｂ）は、このオープンスタイルを反対側から見た状態を示した図。
【図６】第２実施形態において電源投入に伴って実行開始される携帯電話装置の全体動作を示したフローチャート。
【図７】図５に続くフローチャート。
【符号の説明】
【００５８】
１  操作部筐体
２  表示部筐体
４  操作部
５  表示部
６  アウトカメラの撮影レンズ部
７  インカメラの撮影レンズ部
１１  ＣＰＵ
１２  記憶部
１７  アウトカメラ
１８  インカメラ
２１  スタイル検出部
【図１】
2009153085.tif 000003
【図２】
2009153085.tif 000004
【図３】
2009153085.tif 000005
【図４】
2009153085.tif 000006
【図５】
2009153085.tif 000007
【図６】
2009153085.tif 000008
【図７】
2009153085.tif 000009